(57)【要約】【課題】多数のハンガー体が列状に吊支されたハンガー装置であって、衣類を掛けようとする際に隣接する他のハンガー体が邪魔になることがなく、所要のハンガー体に確実かつ円滑に衣類を掛けることができるハンガー装置を提供する。【解決手段】基枠１２と、基枠１２に対し列状にそれぞれ間隔をあけて吊支された複数のハンガー体１４と、ハンガー体１４のそれぞれの上部を基枠１２に回動自在に枢支させて下部側を枢支軸３４回りに自由に回動させる回動支持部１６と、を有し、各ハンガー体１４を鉛直状に垂下させた状態Ｖから枢支軸３４回りに回動させた回動退避位置Ｔでそれらのハンガー体１４を個別に係止解除自在に係止させる係止手段１８を含むことを特徴とするハンガー装置１０から構成される。【選択図】図２
0003126265.tif 000002
【実用新案登録請求の範囲】
【請求項１】
基枠と、
基枠に対し列状にそれぞれ間隔をあけて吊支された複数のハンガー体と、
ハンガー体のそれぞれの上部を基枠に回動自在に枢支させて下部側を枢支軸回りに自由に回動させる回動支持部と、を有し、
各ハンガー体を鉛直状に垂下させた状態から枢支軸回りに回動させた回動退避位置でそれらのハンガー体を個別に係止解除自在に係止させる係止手段を含むことを特徴とするハンガー装置。
【請求項２】
係止手段は、基枠に設けられハンガー体の回動経路内に向けて突設された凸部を含む請求項１記載のハンガー装置。
【請求項３】
ハンガー体は、枢支軸と一体的に回動しつつハンガー本体を下端側に連結する軸連結杆を有し、
軸連結杆の枢支軸周り回動を規制するように凸部が突設形成されていることを特徴とする請求項２記載のハンガー装置。
【請求項４】
各ハンガー体の鉛直垂下状態から枢支軸回りの回動に伴う係止及び解除が凸部による回動規制力に抗して強制的に回動される際の基枠とハンガー体との材料の弾性による変形、復元により行われることを特徴とする請求項２又は３記載のハンガー装置。
【請求項５】
基枠は平板部と側壁部とを含む枠体からなり、
各ハンガー体の軸連結杆は、枠体の内側に挿入配置されてその回動経路内に向けるように基枠側から凸部が突設され、
少なくともその凸部に対応する位置であって軸連結杆を挟装するような位置には、軸連結杆の回動時の凸部による押し込み力を軸連結杆の背面側に当たってバックアップするバックアップ壁が設けられていることを特徴とする請求項２ないし４のいずれかに記載のハンガー装置。
【請求項６】
基枠は平板部と側壁部とを含む枠体からなり、
各ハンガー体の軸連結杆は、枠体の外側から枢支軸に接続されてその回動経路内に向けるように基枠側から凸部が外側に向けて突設されていることを特徴とする請求項２ないし４のいずれかに記載のハンガー装置。
【請求項７】
基枠は横長に設けられその中間位置で二つに分割されて、分割位置で折り畳み展開自在に枢支連結され、
さらに、展開して複数のハンガー体を列状に吊支した状態でその展開状態を保持解除自在に保持する展開保持機構が設けられている請求項１ないし６のいずれかに記載のハンガー装置。
【考案の詳細な説明】
【技術分野】
【０００１】
本考案は、複数の衣類が同時に掛けられるように複数のハンガー体を有するハンガー装置に関する。
【背景技術】
【０００２】
従来、複数の衣類を同時に干せる物干器が種々提案されている。例えば、特許文献１には、洗濯物等を掛ける多数のハンガー（枠体１）を、平行状に対向して配置させた一対の主杆３に所定間隔で吊支し、該主杆３にフック５を上端に設けた吊り下げ部材４を連結した物干器が開示されている。
【特許文献１】実開昭６０−６４７９４公報
【考案の開示】
【考案が解決しようとする課題】
【０００３】
しかしながら、特許文献１の物干器では、多数のハンガーのうち左右両外端に配置されたハンガーには比較的楽に洗濯物等を掛けることができるが、両端以外のハンガー、特に中央位置付近に配置されたハンガーでは、ハンガー同士の間隔が狭い間隔で位置決めされた状態で配置されているので、一つのハンガーに衣類を掛けようとする際には、隣接する他のハンガーに手や腕が当たったり、洗濯物等が引っかかったりすることが多い。すなわち、目的のハンガーに衣類を掛けようとする際に他のハンガーが邪魔になる結果、円滑に洗濯物等を掛けることが困難であり、煩雑で時間もかかるという問題があった。
【０００４】
本考案は、上記従来の課題に鑑みてなされたものであり、その一つの目的は、多数のハンガー体が列状に吊支されたハンガー装置であって、衣類を掛けようとする際に隣接する他のハンガー体が邪魔になることがなく、所要のハンガー体に確実かつ円滑に衣類を掛けることができるハンガー装置を提供することにある。
【課題を解決するための手段】
【０００５】
上記課題を解決するために本考案は、基枠１２、１２ａと、基枠１２、１２ａに対し列状にそれぞれ間隔をあけて吊支された複数のハンガー体１４と、ハンガー体１４のそれぞれの上部を基枠１２、１２ａに回動自在に枢支させて下部側を枢支軸３４回りに自由に回動させる回動支持部１６と、を有し、各ハンガー体１４を鉛直状に垂下させた状態から枢支軸３４回りに回動させた回動退避位置Ｔでそれらのハンガー体１４を個別に係止解除自在に係止させる係止手段１８、１８ａ、１８ｂを含むことを特徴とするハンガー装置１０から構成される。
【０００６】
また、係止手段１８、１８ａ、１８ｂは、基枠１２、１２ａに設けられハンガー体１４の回動経路内に向けて突設された凸部３６を含むこととしてもよい。
【０００７】
また、ハンガー体１４は、枢支軸３４と一体的に回動しつつハンガー本体１４を下端側に連結する軸連結杆３２を有し、軸連結杆３２の枢支軸３４周り回動を規制するように凸部３６が突設形成されていることとしてもよい。
【０００８】
また、各ハンガー体１４の鉛直垂下状態から枢支軸３４回りの回動に伴う係止及び解除が凸部３６による回動規制力に抗して強制的に回動される際の基枠１２、１２ａとハンガー体１４との材料の弾性による変形、復元により行われることとしてもよい。
【０００９】
また、基枠１２、１２ａは平板部２０と側壁部２２とを含む枠体２４からなり、各ハンガー体１４の軸連結杆３２は、枠体２４の内側に挿入配置されてその回動経路内に向けるように基枠１２側から凸部３６が突設され、少なくともその凸部３６に対応する位置であって軸連結杆３２を挟装するような位置には、軸連結杆３２の回動時の凸部３６による押し込み力を軸連結杆３２の背面側に当たってバックアップするバックアップ壁３８、３８ａが設けられていることとしてもよい。少なくとも一方の側壁部２２に凸部３６を設けるとよい。
【００１０】
また、基枠１２ａは平板部２０と側壁部２２とを含む枠体２４からなり、各ハンガー体１４の軸連結杆３２は、枠体２４の外側から枢支軸３４に接続されてその回動経路内に向けるように基枠１２側から凸部３６が外側に向けて突設されていることとしてもよい。少なくとも一方の側壁部２２に凸部３６を設けるとよい。
【００１１】
また、基枠１２は横長に設けられその中間位置で二つに分割されて、分割位置で折り畳み展開自在に枢支連結され、さらに、展開して複数のハンガー体１４を列状に吊支した状態でその展開状態を保持解除自在に保持する展開保持機構４６が設けられていることとしてもよい。
【考案の効果】
【００１２】
本考案のハンガー装置によれば、基枠と、基枠に対し列状にそれぞれ間隔をあけて吊支された複数のハンガー体と、ハンガー体のそれぞれの上部を基枠に回動自在に枢支させて下部側を枢支軸回りに自由に回動させる回動支持部と、を有し、各ハンガー体を鉛直状に垂下させた状態から枢支軸回りに回動させた回動退避位置でそれらのハンガー体を個別に係止解除自在に係止させる係止手段を含むことから、複数のハンガー体を係止手段を介して個別に係止させておき、衣類を掛ける際に順にハンガー体の係止状態を解除させることで、衣類を掛ける所要のハンガー体に隣接するハンガー体が邪魔にならず、少なくとも一方側に広い空間があいた状態で作業を行えるので確実かつ円滑、短時間でハンガー体に衣類を掛けることができ、使い勝手が良い。
【００１３】
また、係止手段は、基枠に設けられハンガー体の回動経路内に向けて突設された凸部を含むことより、簡単な構成で係止手段を具現でき、低コストで製造できる。また、例えば、基枠と複数のハンガー体と回動支持部とを有する既存のハンガー装置に凸部を後付的に形成させるだけで簡単に製造することができる。
【００１４】
また、ハンガー体は、枢支軸と一体的に回動しつつハンガー本体を下端側に連結する軸連結杆を有し、軸連結杆の枢支軸周り回動を規制するように凸部が突設形成されていることにより、凸部に確実に係止されるハンガー体の構成を簡単な構成で具現できる。
【００１５】
また、各ハンガー体の鉛直垂下状態から枢支軸回りの回動に伴う係止及び解除が凸部による回動規制力に抗して強制的に回動される際の基枠とハンガー体との材料の弾性による変形、復元により行われることから、凸部による係止及び解除の構成が材料を選択するだけでよく複雑な構成を必要としないとともに、各ハンガー体の枢支軸周りの強制的な回動操作だけで、回動退避位置での係止及びその解除の切り替え操作を行える結果、片手で簡単かつ円滑に操作でき操作性が良い。
【００１６】
また、基枠は平板部と側壁部とを含む枠体からなり、各ハンガー体の軸連結杆は、枠体の内側に挿入配置されてその回動経路内に向けるように基枠側から凸部が突設され、少なくともその凸部に対応する位置であって軸連結杆を挟装するような位置には、軸連結杆の回動時の凸部による押し込み力を軸連結杆の背面側に当たってバックアップするバックアップ壁が設けられていることにより、特に、ハンガー体を回動退避位置で係止させた状態で凸部とバックアップ壁が協働して該ハンガー体の係止状態を良好に保持できる。よって、例えば、１つのハンガー体を解除するように回動操作した際に、他のハンガー体が不意に係止状態が解除されること等が防止され、実用的である。
【００１７】
また、基枠は平板部と側壁部とを含む枠体からなり、各ハンガー体の軸連結杆は、枠体の外側から枢支軸に接続されてその回動経路内に向けるように基枠側から凸部が外側に向けて突設されていることから、軸連結杆を枠体の内側に挿入配置させる構成とは別に簡単な構成で具体的に実現できる。また、凸部の位置が見えるので、凸部の位置を外部から確認しながら各ハンガー体を操作でき、ハンガー体の軸連結杆の係止・解除にかかる回動操作をより確実に行える。また、凸部を外部側から後付で基枠に簡単に取付けることができる製造が容易である。
【００１８】
また、基枠は横長に設けられその中間位置で二つに分割されて、分割位置で折り畳み展開自在に枢支連結され、さらに、展開して複数のハンガー体を列状に吊支した状態でその展開状態を保持解除自在に保持する展開保持機構が設けられているから、必要に応じて基枠を２つに折り畳んでコンパクト化でき、持ち運びや保管時に場所をとらないとともに、基枠を展開してハンガー体を吊支する状態では、例えば、ハンガー体の回動操作時等の外力や風等により基枠が折り畳まれるのを防止でき、良好なハンガー体の吊支状態及びハンガー体の係止・解除の操作性を保持できる。
【考案を実施するための最良の形態】
【００１９】
以下、添付図面を参照しつつ本考案のハンガー装置の実施の形態について説明する。本考案のハンガー装置は、例えば、屋内、屋外等で洗濯物等を干す際に複数の衣類を同時に掛けることができるハンガー装置である。図１ないし図８は、本考案の第１の実施形態を示している。本実施形態において、ハンガー装置１０は、図１、図２、図３に示すように、基枠１２と、基枠１２に吊支された複数のハンガー体１４と、ハンガー体１４のそれぞれの上部を基枠１２に回動自在に枢支させた回動支持部１６と、を有し、さらに係止手段１８を含む。
【００２０】
本実施形態では、基枠１２は、図１、図２、図４に示すように、複数のハンガー体１４を吊支する基部であり、例えば、プラスチック等の合成樹脂から成形され、横長に設けられている。基枠１２は、例えば、横長い平板部２０とその長辺両縁部から一体的に鉛直状に垂設された一対の側壁部２２とを有し、下方側を開口した枠体２４からなる。枠体２４の内側で平板部２０の下面側には、長手方向に沿って垂設されたリブ壁２３が設けられており、枠体２４の強度を補助している。枠体２４の一対の側壁部２２には、所定間隔で列状に軸支孔が穿孔されており、後述のハンガー体１４の枢支軸３４が連結されている。図８にも示すように、枠体２４は、横長長手方向の略中央位置で２つの枠部材２４ａ、２４ｂに分割されており、それらの枠部材２４ａ、２４ｂが枠回動連結部２６を介して折り畳み展開自在に連結されている。枠部材２４ａ、２４ｂの端部は平板部２０の鉛直状に垂設された端面壁が形成され、枠体２４の展開状態、すなわち枠部材を直状に伸ばした状態ではそれらの端面壁どうしが係合して、直状状態からさらに上方向に折り曲がるのを防止する。枠部材２４ａ、２４ｂは、枠回動連結部２６を内側に向けてのみ折り畳まれるようになっている。なお、基枠１２は例えば、杆状枠材、その他任意の構成でもよい。
【００２１】
また、枠体２４には、ハンガー装置１０全体を物干竿や係止具等に掛止させる吊支手段が設けられている。本実施形態では、吊支手段はフック２８が設けられた可撓性のある索条３０からなり、枠体２４の両端側に連結されている。なお、基枠１２に直接的に１個又は複数個のフック２８を取り付けることとしてもよい。
【００２２】
ハンガー体１４は、図１、図２、図３に示すように、枠体２４に対して横列状にそれぞれ間隔をあけて吊支され、並列状に配置されている。各ハンガー体１４は、例えば、プラスチック等の合成樹脂から形成されており、衣類を掛ける略三角枠状のハンガー本体３１の上部側中央位置から縦方向に延設されて連結された一対の軸連結杆３２を有している。軸連結杆３２は、断面円形に設けられ、その上部側は枠体２４の下部側開口側から内側に挿入配置され、側壁部２２に近接して配置されている。さらに軸連結杆３２の上端側は、外側に９０度曲折されて枢支軸３４を形成しており、側壁部２２を内側から外側に貫通して枢支連結されて、ハンガー体１４のそれぞれの上部を基枠１２に回動自在に枢支させて下部側を枢支軸回りに自由に回動させる回動支持部１６を構成している。すなわち、軸連結杆３２は、軸方向が水平方向に設定された枢支軸３４と一体的に回動して、下端側に連結したハンガー本体３１を枢支軸周りに自由に回動される。なお、枢支軸の外端部には、拡径された抜け止め部３４ａが一体的に形成され、枢支軸の側壁部からの離脱を防止している。この実施形態では、ハンガー体１４は、重力により鉛直状に垂下した状態（鉛直垂下位置Ｖ）で衣類を掛けることができる状態となるとともに、上述のようにそれぞれ間隔をあけて配置される。一方、鉛直垂下位置Ｖからハンガー本体３１を枠体２４の位置する高さ近くまで上げるように枢支軸３４周りに９０度よりやや小さい角度まで回動させて、ハンガー体１４を斜め横状に配置させた回動退避位置Ｔで係止手段１８に係止される。なお、回動退避位置に回動させたハンガー体どうしは一部重ね合わせ状態となっている。ハンガー体１４の形状、大きさは任意でよく、例えば、ハンガー本体３１が円弧杆形成してもよい。
【００２３】
係止手段１８は、各ハンガー体１４を鉛直状に垂下させた鉛直垂下状態Ｖから枢支軸３４周りに回動させた回動退避位置Ｔでそれぞれのハンガー体１４を個別に係止解除自在に係止させる。本実施形態では、係止手段１８は、図４、図５、図６に示すように、枠体２４の側壁部２２に一体的に設けられハンガー体１４の回動経路内に向けて突設された凸部３６を含む。凸部３６は、複数のハンガー体１４の列状の配置位置にそれぞれに対応して所定間隔をあけて配置されており、枠体２４の１つの側壁部２２の内面側であって、１つ軸連結杆３２の枢支軸３２周り回動を規制するように略半球状に突設形成されている。さらに、凸部３６は、枢支軸３４の枢支位置から斜め下方位置に配置されており、ハンガー体１４を回動退避位置Ｔに回動させた際に軸連結杆３２の上部側を係止する。本実施形態では、凸部３６は枠体２４の分割中央位置でハンガー体の回動退避方向が異なっており、両外側に向けてハンガー体１４を回動退避させた位置で係止するようになっている。本実施形態では、各ハンガー体１４の鉛直垂下状態Ｖから枢支軸３２周りの回動に伴う係止及び解除が凸部３６による回動規制力に抗して各ハンガー体が強制的に回動される際に、ハンガー体１４の軸連結杆３２または枠体２４の側壁部２２のいずれか又は両方が変形、復元することにより行われる。本実施形態では、軸連結杆３２を枢支軸３４周りに回動させて凸部３６に接した状態から強制的に回動させると、軸連結杆３２または側壁部２２が変形して凸部３６による回動規制位置から離脱されて一時的に回動でき、その後形状復元して再び回動を規制するようになっている。上記のように凸部３６が略半球状に設けられているので、軸連結杆を強制的に回動させた際に、軸連結杆又は枠体が互いに変形しやすい。このように本実施形態ではハンガー体１４の回動方向への操作だけで係止手段による係止、解除を行えるようになっているので、操作性が良い。なお、例えば、基枠と、ハンガー体と、回動支持部と、を有する既存のハンガー装置に、本実施形態のような係止手段を取り付けるだけで簡単に製造することができる。
【００２４】
図５、図７に示すように、枠体２４の内側には少なくともその凸部３６に対応する位置であって軸連結杆３２を挟装するような位置にバックアップ壁３８が設けられている。バックアップ壁３８は、ハンガー体１４が少なくとも回動退避位置Ｔに回動させた状態で該軸連結杆３２の背面側に当たって軸連結杆の回動時の凸部３６による押し込み力をバックアップするバックアップ部材である。これにより、軸連結杆３２を凸部３６による回動規制される位置に常時付勢して、回動退避位置Ｔに回動させた際に凸部による係止状態を確実に保持し簡単に解除されるのを防止する。本実施形態では、バックアップ壁３８は、枠体の平板部２０から一体的に鉛直状に垂設されたプラスチック等の合成樹脂製である程度の弾性を有する薄板体からなる壁部材からなり、その一方の面側を軸連結杆３２に当てるように設けられている。バックアップ壁３８は、凸部による回動規制力に抗して強制的に軸連結杆３２を枢支軸３４周りに回動させた際にバックアップ力に抗して変形されて一時的に枢支軸杆を回動させ、その後形状復元する。
【００２５】
本実施形態に係るハンガー装置１０に衣類を掛ける際には、例えば、図２に示すように、まず、基枠を直状に延ばした状態で索条３０のフック２８を介して物干し竿等に係止させるとともに、全てのハンガー体１４を回動退避位置Ｔに回動させて図４に示すように凸部を介して係止させておく。例えば、図上、右側の枠部材２４ａの中央側のハンガー体１４を強制的に回動させて係止解除して鉛直垂下状態Ｖに吊支させる。そして、該鉛直垂下状態のハンガー体１４に衣類を掛けるが、この際、目的のハンガー体の少なくとも一方側に広い空間ができており、隣接するハンガー体が邪魔になることがなく、円滑、短時間に衣類を掛けることができる。同様の操作で、左側の枠部材２４ａの中央側のハンガー体の係止を解除して衣類をかけ、順次外側に向けて１個ずつハンター体の係止状態を解除しながら衣類を掛けていく。中央側のハンガー体から衣類を掛けていくとハンガー装置全体の傾きが少なく、作業をスムーズに行える。なお、ハンガー装置の不要時には、図８に示すように、ハンガー体は回動退避位置に回動させた状態で基枠１２を枠回動連結部２６を介して２つに折り畳んでコンパクト化できる。これにより、装置の嵩張りを少なくでき持ち運びや保管の際に便利である。
【００２６】
次に、図９、図１０を参照しつつ本考案のハンガー装置の第２の実施形態について説明する。上記実施形態と同一部材には同一符号を付し詳細な説明を省略する。この実施形態に係るハンガー装置は、上記第１実施形態と略同じ構成で設けられているが、基枠１２に凸部３６による軸連結杆３２の係止状態を解除させる解除手段が設けられている点で異なっている。図９、図１０は、その要部を示しているが、図に示すように、本実施形態では、解除手段はそれぞれのハンガー体１４の軸連結杆３２及びそれらを係止する凸部３６の位置に対応した位置で枠体２４に列状に所定間隔で設けられた解除ボタン４０を含む。解除ボタン４０は、枠体２４の平板部２０を貫通しつつ上下に移動可能に設けられた直杆状の基部４１と、基部４１の上端部に横に膨出して設けられ指で押圧される操作部４２と、基部の下端部で横に膨出して設けられ回動退避位置Ｔに係止された軸連結杆３２の上部側に当接する杆当接部４３と、を含む。なお、縦操作部４２、杆当接部４３が解除ボタンの枠体２４からの離脱を防止している。上記同様にハンガー体を回動退避位置に係止させた状態で、必要に応じて解除ボタンの上端の操作部４２を人の指で強く押下することにより、その下端部の杆当接部４３が軸連結杆３２を下方に力を作用させて凸部３６による回動規制力に抗して軸連結杆３２を枢支軸回りに強制的に回動させて係止状態を解除する。これにより、回動退避位置で係止状態にある複数のハンガー体同士が近接している場合でも解除するハンガー体を確実に選択して解除させることができる。
【００２７】
次に、図１１、図１２、図１３を参照しつつ本考案のハンガー装置の第３の実施形態について説明するが、上記第１、第２実施形態と同一部材には同一符号を付しその詳細な説明を省略する。この実施形態に係るハンガー装置は、第１実施形態と略同じ構成をしているが、係止手段１８ａの構成が上記実施形態と異なっている。本実施形態では、係止手段１８ａは、枠体２４の対向した側壁部２２の内面側にそれぞれ凸部３６が形成されており、各ハンガー体１４の２本の軸連結杆３２をそれぞれ係止するように設けられている。よって、本実施形態では、幅方向の両側でハンガー体１４の軸連結杆３２を係止するので、より安定的に係止状態を保持できる。図１３に示すように、ハンガー体１４を回動退避位置から係止状態を解除して回動させる際には、軸連結杆の上部側を枢支軸に沿って内側に向けて弾性変形することにより、凸部３６による軸連結杆３２の回動規制位置からずれて自由に回動させ得ることができ、その後、軸連結杆の形状復元により元に戻る。また、鉛直垂下状態から回動退避位置へ回動させる際も同様に軸連結杆３２の上部側を枢支軸に沿って内側に向けて弾性変形させて回動させ、形状復元により凸部３６に係止させる。
【００２８】
また、本実施形態では、バックアップ壁３８ａは、第１、第２実施形態と異なり、その面が軸連結杆３２と交差方向に向けて配置され、その端縁部で軸連結杆３２に当たるように設けられている。また、バックアップ壁３８ａは、その当接側の隅部が斜めに切り欠いて設けられており、例えば、軸連結杆３２が回動退避位置で凸部３６に係止させた状態から解除する際に、軸連結杆３２の上部側を内側向きに変形させると、軸連結杆を下方へ回動させる向きに誘導する。
【００２９】
次に、図１４、図１５を参照しつつ本考案のハンガー装置の第４の実施形態について説明するが、上記実施形態と同一部材には同一符号を付しその詳細な説明を省略する。この実施形態に係るハンガー装置は、上記実施形態と略同様の構成をしているが、基枠１２とハンガー体１４との枢支構成すなわち回動支持部１６４の構成と、係止手段１８ｂの構成が異なっている。図１４、図１５は、その要部断面図を示しており、図に示すように、本実施形態では、ハンガー体１４の軸連結杆３２は、枠体２４の外側から枢支軸３２に接続されている。そして、凸部３６は、側壁部２２の両外面側に設けられており、該側壁部２２の外面側に近接して配置される軸連結部３２の回動経路内に向けて突設されている。本実施形態でも、ハンガー体１４を回動退避位置Ｔで係止させて円滑に衣類をハンガー体１４に掛けることができる等の作用効果を奏する。
【００３０】
次に、図１６ないし図１９を参照しつつ本考案のハンガー装置の第５の実施形態について説明するが、上記実施形態と同一部材には同一符号を付しその詳細な説明を省略する。この実施形態に係るハンガー装置は、上記第１実施形態と略同様に構成されているが、基枠１２ａの構成が異なっている。本実施形態では、基枠１２ａは２分割された枠部材２４ａ，２４ｂが折り畳み展開自在に枢支連結されており、さらに、展開して複数のハンガー体を列状に吊支した状態では、その展開状態を保持解除自在に保持する展開保持機構４６が設けられている。図１６、図１７、図１８に示すように、枠部材２４ａ，２４ｂを連結している枠回動連結部２６ａは、平板部４８と側壁部４９を有する断面略コ字状の中間連結枠部材５０の内部に枠部材２４ａ，２４ｂのそれぞれの端部を挿入した状態で枢支軸５６を介して連結している。中間連結枠部材５０の側壁部４９には、横方向に長い長孔５２が設けられており、枢支軸５６は該長孔５２内に横移動自在に支持されている。さらに中間連結枠部材５０の内部の横方向中央位置には壁面を左右枠部材に向けた中間当接壁５４が一体的に設けられている。枠部材２４ａ、２４ｂの隅部は円弧状に設けられている。例えば、図１８に示すように、内側の長孔５２端部に枢支軸５６を移動させると、枠部材２４ａ、２４ｂの端面壁２４ａｗ，２４ｂｗが中間当接壁５４に当接して該枠部材２４ａ、２４ｂの回動が抑止され展開状態が保持される。これにより、枠回動連結部２６ａに展開保持機構４６が構成されており、例えば、ハンガー体１４を回動操作する際に枠部材が折り畳まれるのを確実に防止する。一方で、図１９に示すように、外側の長孔５２端部側に枢支軸５６を移動させると、枠部材２４ａ、２４ｂは枢支軸５６周りに自在に回動でき、２つに折り畳んで、コンパクトな状態で持ち運んだり、保管することができる。
【００３１】
以上説明した本考案のハンガー装置は、上記した実施形態のみの構成に限定されるものではなく、実用新案登録請求の範囲に記載した本考案の本質を逸脱しない範囲において、任意の改変を行ってもよい。
【産業上の利用可能性】
【００３２】
本考案のハンガー装置は、複数の衣類を同時に保持させておくのに好適に用いられる。
【図面の簡単な説明】
【００３３】
【図１】本考案の第１の実施形態に係るハンガー装置の正面説明図である。
【図２】図１のハンガー装置のハンガー体を回動退避位置に回動させて係止させた状態の説明図である。
【図３】図１のＡ−Ａ線断面の一部省略した説明図である。
【図４】図３の上部側拡大図である。
【図５】図２のＢ−Ｂ線断面の上部側拡大図である。
【図６】図５のＣ−Ｃ線矢視図及び作用説明図である。
【図７】図２のＤ−Ｄ線矢視の一部省略拡大図である。
【図８】基枠を折り畳んだ状態の説明図である。
【図９】本考案の第２実施形態に係るハンガー装置の要部断面説明図である。
【図１０】図９のＥ−Ｅ線矢視図及び作用説明図である。
【図１１】本考案の第３実施形態に係るハンガー装置の要部断面説明図である。
【図１２】図１１のハンガー体を回動退避位置に回動させて係止させた状態を示す説明図である。
【図１３】軸連結杆の変形、復元状態を示す説明図である。
【図１４】本考案の第４実施形態に係るハンガー装置の要部断面説明図である。
【図１５】図１４のハンガー体を回動退避位置に回動させて係止させた状態を示す説明図である。
【図１６】本考案の第５の実施形態に係るハンガー装置の正面説明図である。
【図１７】図１６のハンガー装置の底面図の基枠の中間位置周辺を拡大した図である。
【図１８】図１７のＦ−Ｆ線断面図である。
【図１９】図１８の作用説明図である。
【符号の説明】
【００３４】
１０    ハンガー装置
１２、１２ａ    基枠
１４    ハンガー体
１６    回動支持部
１８、１８ａ、１８ｂ    係止手段
２０    平板部
２２    側板部
２４    枠体
３１    ハンガー本体
３２    軸連結杆
３４    枢支軸
３６    凸部
３８，３８ａ    バックアップ壁
４６    展開保持機構
【図１】
0003126265.tif 000003
【図２】
0003126265.tif 000004
【図３】
0003126265.tif 000005
【図４】
0003126265.tif 000006
【図５】
0003126265.tif 000007
【図６】
0003126265.tif 000008
【図７】
0003126265.tif 000009
【図８】
0003126265.tif 000010
【図９】
0003126265.tif 000011
【図１０】
0003126265.tif 000012
【図１１】
0003126265.tif 000013
【図１２】
0003126265.tif 000014
【図１３】
0003126265.tif 000015
【図１４】
0003126265.tif 000016
【図１５】
0003126265.tif 000017
【図１６】
0003126265.tif 000018
【図１７】
0003126265.tif 000019
【図１８】
0003126265.tif 000020
【図１９】
0003126265.tif 000021